(57)【要約】【課題】遮蔽部材の形状による装飾性を向上可能とした遮蔽装置を提供する。【解決手段】スクリーン１２と、スクリーン１２の下方に位置する１体のウェイトバー１３と、ウェイトバー１３に接続された昇降コード１４と、昇降コード１４を吊り下げるヘッドボックス１１と、を備える。昇降コード１４は、ウェイトバー１３の長手方向の一端部から上方のヘッドボックス１１へ案内されており、ウェイトバー１３の長手方向の両端部のうち一端部のみでウェイトバーを上昇させる。【選択図】図１
2019002127.tif 000002
【特許請求の範囲】
【請求項１】
遮蔽部材と、
前記遮蔽部材の下方に位置する１体以上のレールと、
前記レールに接続された昇降コードと、
前記昇降コードを吊り下げる吊り下げ部と、
を備え、
前記昇降コードは、
前記レールの長手方向の一端部から上方の前記吊り下げ部へ延びており、
前記レールの長手方向の両端部のうち前記一端部のみで前記レールを昇降させる
遮蔽装置。
【請求項２】
複数の前記レールを備え、
前記各レールに１本ずつ前記昇降コードを備える
請求項１に記載の遮蔽装置。
【請求項３】
前記昇降コードは、前記一端部の左右方向での端面から上方に延びる
請求項１または２に記載の遮蔽装置。
【請求項４】
前記遮蔽部材は、スクリーンである
請求項１から３のいずれか一項に記載の遮蔽装置。
【請求項５】
前記遮蔽部材は、折り畳み可能な筒体が上下方向に多数連なる構造を備え、
前記各筒体は、下面を有し、
前記昇降コードは、前記各筒体の前記下面を通っている
請求項１から４のいずれか一項に記載の遮蔽装置。
【請求項６】
左右方向で相互に隣り合う２体の独立した前記レールを備え、
一方の前記レールの前記一端部と、他方の前記レールの前記一端部とが、相互に隣り合う
請求項１から５のいずれか一項に記載の遮蔽装置。
【請求項７】
左右方向で相互に隣り合う２体の独立した前記レールを備え、
前記遮蔽部材は、前記２体の独立した前記レールに共通し、
前記昇降コードは、前記遮蔽部材の左右方向での略中央に位置する
請求項２から６のいずれか一項に記載の遮蔽装置。
【請求項８】
前記昇降コードは、前記２体のレール間の左右方向での間隙から上方の前記吊り下げ部へ延びる
請求項６に記載の遮蔽装置。
【請求項９】
前記２体のレール間の左右方向での間隙の大きさは、前記レールの上下方向での厚みの２倍である
請求項６から８のいずれか一項に記載の遮蔽装置。
【発明の詳細な説明】
【技術分野】
【０００１】
本発明は、昇降コードによってレールを昇降させる遮蔽装置に関する。
【背景技術】
【０００２】
遮蔽装置の一例であるプリーツスクリーンは、１体のヘッドボックスと１体の下部レールとを備える。ヘッドボックスから吊り下げられる昇降コードは、下部レールに接続されて下部レールを昇降させる。ヘッドボックスと下部レールとに接続されたスクリーンは、下部レールの延びる方向を水平方向に保ちながら、下部レールの昇降に従って昇降する（例えば、特許文献１）。
【先行技術文献】
【特許文献】
【０００３】
【特許文献１】特開２０１４−１６３１３１号公報
【発明の概要】
【発明が解決しようとする課題】
【０００４】
ところで、下部レールの延びる方向を水平方向に保ちながら下部レールを昇降させる昇降装置では、下部レールが上昇する場合であれ、下部レールが下降する場合であれ、遮蔽部材の形状は、遮蔽装置の正面から見て、常にシンプルな矩形状を保ち続ける。そのため、上述した遮蔽装置では、遮蔽部材の形状による装飾性の向上が強く望まれている。
本発明の目的は、遮蔽部材の形状による装飾性を向上可能とした遮蔽装置を提供することである。
【課題を解決するための手段】
【０００５】
上記課題を解決するための遮蔽装置は、遮蔽部材と、前記遮蔽部材の下方に位置する１体以上のレールと、前記レールに接続された昇降コードと、前記昇降コードを吊り下げる吊り下げ部と、を備え、前記昇降コードは、前記レールの長手方向の一端部から上方の前記吊り下げ部へ延びており、前記レールの長手方向の両端部のうち前記一端部のみで前記レールを昇降させる。
上記遮蔽装置は、複数の前記レールを備え、前記各レールに１本ずつ前記昇降コードを備えてもよい。
上記遮蔽装置において、前記昇降コードは、前記一端部の左右方向での端面から上方に延びてもよい。
上記遮蔽装置において、前記遮蔽部材は、スクリーンであってもよい。
【０００６】
上記遮蔽装置において、前記遮蔽部材は、折り畳み可能な筒体が上下方向に多数連なる構造を備え、前記各筒体は、下面を有し、前記昇降コードは、前記各筒体の前記下面を通ってもよい。
【０００７】
上記遮蔽装置は、左右方向で相互に隣り合う２体の独立した前記レールを備え、一方の前記レールの前記一端部と、他方の前記レールの前記一端部とが、相互に隣り合ってもよい。
【０００８】
上記遮蔽装置は、左右方向で相互に隣り合う２体の独立した前記レールを備え、前記遮蔽部材は、前記２体の独立した前記レールに共通し、前記昇降コードは、前記遮蔽部材の左右方向での略中央に位置してもよい。
上記遮蔽装置は、前記昇降コードは、前記２体のレール間の左右方向での間隙から上方の前記吊り下げ部へ延びてもよい。
上記遮蔽装置は、前記２体のレール間の左右方向での間隙の大きさは、前記レールの上下方向での厚みの２倍であってもよい。
【図面の簡単な説明】
【０００９】
【図１】遮蔽装置の一実施形態における正面構造を示す正面図。
【図２】ボトムレールが最上位置に到達する過程の状態を示す作用図。
【図３】ボトムレールが最上位置に到達した状態を示す作用図。
【図４】（ａ）（ｂ）開状態のスクリーンにおける正面図および側面図。
【図５】第１変形例の遮蔽装置における正面構造を示す正面図。
【図６】第１変形例のボトムレールが最上位置に到達する過程の状態を示す作用図。
【図７】第１変形例のボトムレールが最上位置に到達した状態を示す作用図。
【図８】第２変形例の遮蔽装置における正面構造を示す正面図。
【図９】第２変形例のボトムレールが最上位置に到達する過程の状態を示す作用図。
【図１０】第２変形例のボトムレールが最上位置に到達した状態を示す作用図。
【図１１】第３変形例の遮蔽装置における正面構造を示す正面図。
【図１２】第４変形例の遮蔽装置における正面構造を示す正面図。
【図１３】第５変形例の遮蔽装置における正面構造を示す正面図。
【図１４】他の変形例の遮蔽装置における正面構造を示す正面図。
【発明を実施するための形態】
【００１０】
遮蔽装置の一実施形態について、図１から図３を参照して説明する。
図１が示すように、遮蔽装置は、１体のヘッドボックス１１と、遮蔽部材の一例である１体のスクリーン１２と、レールの一例である１体のウェイトバー１３と、１本の昇降コード１４とを備える。
【００１１】
スクリーン１２は、ヘッドボックス１１とウェイトバー１３とに接続されている。スクリーン１２は、ウェイトバー１３の荷重を受け、ウェイトバー１３の長手方向と水平方向とをほぼ平行にした閉状態で、ヘッドボックス１１に吊り下げられている。
【００１２】
スクリーン１２は、図面右側から見て、ハニカム状の筒体を上下方向に連ねるハニカムスクリーン（図４参照）である。なお、スクリーンは、山折りと谷折りとが上下方向に交互に繰り返されるプリーツを採用することも可能である。
【００１３】
ウェイトバー１３の左右方向での長さは、スクリーン１２の左右方向での長さよりも若干短い。昇降コード１４は、ウェイトバー１３の左右方向での一端部１３Ｅ（図中で左端部）から、ウェイトバー１３の外部（図中で左側）に引き出されている。昇降コード１４は、ウェイトバー１３の一端部１３Ｅに固定されてもよいし、ウェイトバー１３の図中で右端部に固定されて、一端部１３Ｅから引き出されてもよい。
【００１４】
昇降コード１４は、ウェイトバー１３の一端部１３Ｅにおいて、ウェイトバー１３の左右方向での端面から引き出されている。昇降コード１４は、ウェイトバー１３の一端部１３Ｅから上方へ延び、スクリーン１２の左右方向の一端部（図中で左端部）を通り、それによって、ウェイトバー１３の一端部１３Ｅとヘッドボックス１１とを接続している。
【００１５】
昇降コード１４は、操作コード１５を下げる操作によって、ウェイトバー１３を上昇させる。また、昇降コード１４は、操作コード１５を上げる操作によって、ウェイトバー１３を下降させる。
【００１６】
［作用］
図１が示すように、スクリーン１２が閉状態であるときから、昇降コード１４がウェイトバー１３を上昇させるとき、図２が示すように、ウェイトバー１３の一端部１３Ｅがウェイトバー１３の他部よりも上位となる姿勢、すなわち、起立姿勢となるように、ウェイトバー１３は変位しはじめる。スクリーン１２のなかでウェイトバー１３と接続する下縁もまた、ウェイトバー１３の起立姿勢への変位に追従し、一端部１３Ｅと接続する部位が上位となる姿勢に変位する。結果として、ウェイトバー１３を半径とする扇状に、スクリーン１２の下部が変形しはじめる。
【００１７】
図３が示すように、昇降コード１４が上げられ続けると、ウェイトバー１３の一端部１３Ｅが最上位置に到達する。結果として、スクリーン１２の開状態では、ヘッドボックス１１とウェイトバー１３とを半径とする扇状をスクリーン１２が形成する。なお、スクリーン１２の開状態から昇降コード１４が下げられるとき、ウェイトバー１３は起立姿勢を保ちながら、すなわち、扇状を保ちながら、スクリーン１２は下降する。そして、スクリーン１２は、先に説明された図２が示す状態を経て、図１が示す閉状態に再び遷移する。
【００１８】
図４（ａ）は、開状態のスクリーン１２の一部を示す正面図である。図４（ｂ）は、スクリーン１２がハニカムスクリーン１２Ｈである場合の例であり、開状態のハニカムスクリーン１２Ｈを右側から見た側面図である。
【００１９】
図４（ａ）が示すように、開状態のスクリーン１２は、扇状の中心部１２Ｃと、扇状の円弧部１２Ｅとを備える。スクリーン１２の中心部１２Ｃでは、スクリーン１２が折り畳まれている一方で、スクリーン１２の円弧部１２Ｅでは、スクリーン１２が広がっている。この際、スクリーン１２が、ハニカムスクリーン１２Ｈである場合、ハニカムスクリーン１２Ｈを構成する各筒体１２Ｋは、斜め下方に開口Ｈを向ける。そのため、スクリーン１２が、ハニカムスクリーン１２Ｈである場合には、各筒体１２Ｋの内部に位置する塵や埃などを、筒体１２Ｋの開口Ｈから落とすことが可能でもある。
【００２０】
図４（ｂ）が示すように、ハニカムスクリーン１２Ｈは、前側スクリーン１２Ｆと、後側スクリーン１２Ｎと、複数の水平部分１２Ｖとを備える。前側スクリーン１２Ｆ、および、後側スクリーン１２Ｎは、山折りと谷折りとが上下方向に交互に繰り返される形状を有する。複数の水平部分１２Ｖは、前側スクリーン１２Ｆの１つ置きの折り目と、後側スクリーン１２Ｎの１つ置きの折り目とを水平方向に沿って連結する。昇降コード１４は、各水平部分１２Ｖに形成された貫通孔に通されている。
上記実施形態によれば、以下の効果を得ることが可能である。
【００２１】
（１）スクリーン１２を昇降させるための昇降コード１４が、ウェイトバー１３の一端部１３Ｅに接続されるため、ウェイトバー１３を起立姿勢とすること、ひいては、スクリーン１２で扇状を形成することが可能となる。結果として、スクリーン１２で扇状を形成することが実現でき、スクリーン１２の形状による装飾性を向上することが可能となる。
【００２２】
（２）ウェイトバー１３の一端部１３Ｅの左端面から昇降コード１４が上方に延びる。そして、起立状態のウェイトバー１３では、一端部１３Ｅの左端面が、上方に面し、この上方に面する端面から、上方に向けて昇降コード１４が延びる。結果として、スクリーン１２で扇状を形成しているときに、ウェイトバー１３の一端部１３Ｅから昇降コード１４を円滑に引き回すことが可能ともなる。
【００２３】
（３）スクリーン１２がハニカムスクリーン１２Ｈである場合には、開状態のハニカムスクリーン１２Ｈにおいて、各筒体１２Ｋの内部から塵や埃などを落とすことが可能ともなる。
【００２４】
（４）開状態のスクリーン１２を通る昇降コード１４は、スクリーン１２に張力を作用させる。スクリーン１２に作用する張力は、例えば、円弧部１２Ｅから中心部１２Ｃに向けた応力である。この応力を受けるスクリーン１２は、本来求められる扇状からスクリーン１２の形状を崩す場合がある。
この点、スクリーン１２がハニカムスクリーン１２Ｈである場合には、各水平部分１２Ｖに昇降コード１４が通り、上述した応力を受ける水平部分１２Ｖが、前側スクリーン１２Ｆと後側スクリーン１２Ｎとによって覆われて視認され難い。そのため、スクリーン１２が形成する扇状の美観性を高めること、ひいては、スクリーン１２の形状による装飾性をさらに高めることが可能ともなる。
【００２５】
なお、上記実施形態は、以下のように変更して実施できる。
［第１変形例］
遮蔽装置の第１変形例について、図５から図７を参照して説明する。なお、第１変形例は、ウェイトバー１３のなかで昇降コード１４の引き出される部位が、上記実施形態とは異なる。以下では、上記実施形態と異なる構成を詳細に説明し、上記実施形態と重複する構成の説明を割愛する。
【００２６】
図５が示すように、ウェイトバー１３の長手方向である左右方向での長さは、スクリーン１２の左右方向での長さとほぼ等しい。昇降コード１４は、ウェイトバー１３の左右方向での一端部１３Ｅ（図中で左端部）からウェイトバー１３の外部（図中で左側）に引き出されている。
【００２７】
ウェイトバー１３の一端部１３Ｅにおいて、昇降コード１４の引き出される部位は、ウェイトバー１３の上端面である。昇降コード１４は、ウェイトバー１３の上端面から上方へ延び、スクリーン１２の左右方向の一端部（図中で左端部）を通り、それによって、ウェイトバー１３の一端部１３Ｅとヘッドボックス１１とを接続している。
【００２８】
［作用］
図５が示すように、スクリーン１２が閉状態であるときから、昇降コード１４がウェイトバー１３を上昇させるとき、図６が示すように、ウェイトバー１３の一端部１３Ｅが、ウェイトバー１３の他部よりも上位となる姿勢である起立姿勢に、ウェイトバー１３は変位しはじめる。スクリーン１２のなかでウェイトバー１３と接続する下縁もまた、ウェイトバー１３の起立姿勢への変位に追従し、下縁の一端部が下縁の他部よりも上位となる姿勢に変位する。結果として、ウェイトバー１３を一辺とする扇状に、スクリーン１２の下部が変形しはじめる。
【００２９】
図７が示すように、昇降コード１４が上げられ続けると、ウェイトバー１３の一端部１３Ｅが最上位置に到達する。結果として、スクリーン１２の開状態では、ヘッドボックス１１とウェイトバー１３とを半径とする扇状を、スクリーン１２が形成する。なお、スクリーン１２の開状態から昇降コード１４が下げられるとき、ウェイトバー１３の起立姿勢を保ちながら、すなわち、扇状を保ちながら、スクリーン１２は下降する。そして、スクリーン１２は、先に説明された図６が示す状態を経て、図５が示す閉状態に再び遷移する。
【００３０】
上記第１変形例によれば、以下の効果を得ることが可能である。
（１−１）ウェイトバー１３の一端部１３Ｅの上端面から昇降コード１４が上方に延びる。そして、スクリーン１２が閉状態である場合には、上方に面する上端面から、上方に向けて昇降コード１４が延びる。結果として、扇状を形成するように構成された遮蔽装置において、スクリーン１２が閉状態である場合には、ウェイトバー１３の一端部１３Ｅから昇降コード１４を円滑に引き回すことが可能ともなる。
【００３１】
［第２変形例］
遮蔽装置の第２変形例について、図８から図１０を参照して説明する。なお、第２変形例は、１体の遮蔽装置が２体のウェイトバー１３Ｒ,１３Ｌを備えることが、上記実施形態とは異なる。以下では、上記実施形態と異なる構成を詳細に説明し、上記実施形態と重複する構成の説明を割愛する。
【００３２】
図８が示すように、遮蔽装置は、１体のヘッドボックス１１と、遮蔽部材の一例である１体のスクリーン１２と、レールの一例である２体のウェイトバー１３Ｒ，１３Ｌと、２本の昇降コード１４Ｒ，１４Ｌとを備える。スクリーン１２は、ヘッドボックス１１と、２体のウェイトバー１３Ｒ，１３Ｌとを接続している。すなわち、２本のウェイトバー１３Ｒ，１３Ｌに対して、１体のスクリーン１２と、１体のヘッドボックス１１とは共通している。
【００３３】
２体のウェイトバー１３Ｒ，１３Ｌは、機械的に独立し、左右方向に間隔を空けて並んでいる。２本のウェイトバー１３Ｒ，１３Ｌ間の左右方向での間隙Ｗの大きさは、各ウェイトバー１３Ｒ，１３Ｌの上下方向での厚みＴのほぼ２倍である。
【００３４】
各昇降コード１４Ｒ，１４Ｌは、各ウェイトバー１３Ｒ，１３Ｌに１本ずつ接続されている。各昇降コード１４Ｒ，１４Ｌは、１体のスクリーン１２の左右方向でのほぼ中央である間隙Ｗに位置している。
【００３５】
２体の独立したウェイトバー１３Ｒ，１３Ｌにおいて、右側ウェイトバー１３Ｒの一端部１３ＲＥ（図中で左端部）と、左側ウェイトバー１３Ｌの一端部１３ＬＥ（図中で右端部）とは、左右方向で相互に隣り合う。右側ウェイトバー１３Ｒの一端部１３ＲＥにおいて、右側昇降コード１４Ｒの引き出される部位は、右側ウェイトバー１３Ｒの左右方向での端面である。左側ウェイトバー１３Ｌの一端部１３ＬＥにおいて、左側昇降コード１４Ｌの引き出される部位は、左側ウェイトバー１３Ｌの左右方向での端面である。右側昇降コード１４Ｒは、右側ウェイトバー１３Ｒの一端部１３ＲＥから上方へ延び、スクリーン１２の左右方向でのほぼ中央を通り、それによって、右側ウェイトバー１３Ｒの一端部１３ＲＥとヘッドボックス１１とを接続している。左側昇降コード１４Ｌは、左側ウェイトバー１３Ｌの一端部１３ＬＥから上方へ延び、スクリーン１２の左右方向でのほぼ中央を通り、それによって、左側ウェイトバー１３Ｌの一端部１３ＬＥとヘッドボックス１１とを接続している。
各昇降コード１４Ｒ,１４Ｌは、図８が示すように、各ウェイトバー１３Ｒ,１３Ｌの他端部に固定されて一端部１３ＲＥ,１３ＬＥから引き出されてもよいし、各ウェイトバー１３Ｒ,１３Ｌの一端部１３ＲＥ,１３ＬＥに固定されてもよい。
【００３６】
１本の操作コード１５を下げる操作は、各昇降コード１４Ｒ，１４Ｌに、各ウェイトバー１３Ｒ，１３Ｌをほぼ同時に上昇させる。１本の操作コード１５を上げる操作は、各昇降コード１４Ｒ，１４Ｌに、各ウェイトバー１３Ｒ，１３Ｌをほぼ同時に下降させる。
【００３７】
図８が示すように、スクリーン１２が閉状態であるときから、各昇降コード１４Ｒ，１４Ｌが各ウェイトバー１３Ｒ，１３Ｌを上昇させるとき、図９が示すように、右側ウェイトバー１３Ｒの一端部１３ＲＥが、右側ウェイトバー１３Ｒの他部よりも上位となる姿勢、すなわち起立姿勢となるように、右側ウェイトバー１３Ｒは変位する。左側ウェイトバー１３Ｌの一端部１３ＬＥが、左側ウェイトバー１３Ｌの他部よりも上位となる姿勢、すなわち起立姿勢となるように、左側ウェイトバー１３Ｌもまた変位する。
【００３８】
この際、閉状態でのウェイトバー１３Ｒ，１３Ｌの左右方向での間隙Ｗが、各ウェイトバー１３Ｒ，１３Ｌの厚みＴのほぼ２倍であるため、各ウェイトバー１３Ｒ，１３Ｌは、他のウェイトバー１３Ｒ，１３Ｌとの物理的な干渉を抑えて、円滑に起立姿勢へ変位する。結果として、右側ウェイトバー１３Ｒを一辺とする扇状にスクリーン１２の右側が変形し、かつ、左側ウェイトバー１３Ｌを一辺とする扇状にスクリーン１２の左側が変形し、２つの扇状から構成される半円状にスクリーン１２が変形する。
【００３９】
図１０が示すように、昇降コード１４Ｒ，１４Ｌが上げられ続けると、各ウェイトバー１３Ｒ，１３Ｌの一端部１３ＲＥ，１３ＬＥが、最上位置に到達する。結果として、スクリーン１２の開状態では、ヘッドボックス１１を弦とする半円状をスクリーン１２が形成する。なお、スクリーン１２の開状態から昇降コード１４が下げられるとき、各ウェイトバー１３Ｒ，１３Ｌの起立姿勢を保ちながら、すなわち、半円状を保ちながら、スクリーン１２は下降する。そして、スクリーン１２は、先に説明された図９が示す状態を経て、閉状態に遷移する。
【００４０】
上記第２変形例によれば、以下の効果を得ることが可能である。
（２−１）各ウェイトバー１３Ｒ，１３Ｌの長手方向が相互に平行となるように、各ウェイトバー１３Ｒ，１３Ｌが起立姿勢に変位し、２つの扇状から構成される半円状を、１体のスクリーン１２が形成する。そのため、相互に独立した２体のウェイトバー１３Ｒ，１３Ｌを備える遮光装置において、各ウェイトバー１３Ｒ，１３Ｌが別々に扇状を形成する一方で、別々の扇状による一体感を遮蔽装置では与えることが可能となる。ひいては、遮蔽部材の形状による装飾性をさらに高めることが可能となる。
【００４１】
（２−２）閉状態でのウェイトバー１３Ｒ，１３Ｌ間の左右方向での間隙Ｗが、各ウェイトバー１３Ｒ，１３Ｌの厚みＴのほぼ２倍であるため、各ウェイトバー１３Ｒ，１３Ｌの起立姿勢への変位が円滑に進行する。
（２−３）スクリーン１２がハニカムスクリーン１２Ｈである場合には、水平方向に延びる水平部分１２Ｖが存在する。そのため、各ウェイトバー１３Ｒ,１３Ｌが起立姿勢となるようにスクリーン１２を折り曲げることが容易でもある。
【００４２】
［第３変形例］
遮蔽装置の第３変形例について、図１１を参照して説明する。なお、第３変形例は、２体の遮蔽装置が左右方向に並び、これら２体の遮蔽装置によって１体の遮蔽ユニットを構成する。
【００４３】
図１１が示すように、遮蔽ユニットは、左右方向に並ぶ２体の遮蔽装置１０Ｒ，１０Ｌから構成される。右側遮蔽装置１０Ｒは、１体の右側ヘッドボックス１１Ｒと、遮蔽部材の一例である１体の右側スクリーン１２Ｒと、レールの一例である１体の右側ウェイトバー１３Ｒと、１本の右側昇降コード１４Ｒとを備える。左側遮蔽装置１０Ｌは、１体の左側ヘッドボックス１１Ｌと、遮蔽部材の一例である１体の左側スクリーン１２Ｌと、レールの一例である１体の左側ウェイトバー１３Ｌと、１本の左側昇降コード１４Ｌとを備える。
【００４４】
２体のヘッドボックス１１Ｒ，１１Ｌは、左右方向に間隔を空けて並んでいる。２本のヘッドボックス１１Ｒ，１１Ｌ間の左右方向での間隙Ｗの大きさは、各ウェイトバー１３Ｒ，１３Ｌの上下方向での厚みＴのほぼ２倍である。
【００４５】
右側ウェイトバー１３Ｒにおいて、右側昇降コード１４Ｒの引き出される一端部１３ＲＥは、右側ウェイトバー１３Ｒの両端部のうち、閉状態で左側遮蔽装置１０Ｌの側（図中の開状態では上側）に位置する。左側ウェイトバー１３Ｌにおいて、左側昇降コード１４Ｌの引き出される一端部１３ＬＥは、左側ウェイトバー１３Ｌの両端部のうち、開状態で右側遮蔽装置１０Ｒの側（図中の開状態では上側）に位置する。
【００４６】
各ウェイトバー１３Ｒ，１３Ｌの一端部１３ＲＥ，１３ＬＥが、最上位置に到達すると、スクリーン１２Ｒ，１２Ｌは、別々の扇状を形成し、かつ、２体のヘッドボックス１１Ｒ，１１Ｌを１本の弦とする半円状を形成する。この際、各ヘッドボックス１１Ｒ，１１Ｌの左右方向での間隙Ｗが、各ウェイトバー１３Ｒ，１３Ｌの厚みＴのほぼ２倍であるため、各ウェイトバー１３Ｒ，１３Ｌは、他のウェイトバー１３Ｒ，１３Ｌとの物理的な干渉を抑えて、円滑に起立姿勢へ変位する。
【００４７】
上記第３変形例によれば、上記（２−１）（２−２）に加えて、以下の効果を得ることが可能である。
（３−１）別々の操作コード１５Ｒ，１５Ｌによって昇降される別々のスクリーン１２Ｒ，１２Ｌが、別々の扇状を形成し、これら２つの扇状の組み合わせによって、１つの半円状が形成される。そのため、別々の遮蔽装置１０Ｒ，１０Ｌにおけるスクリーン１２Ｒ，１２Ｌに一体感を付加することが可能ともなる。
【００４８】
［第４変形例］
遮蔽装置の第４変形例について、図１２を参照して説明する。なお、第４変形例は、第３変形例における２体の遮蔽装置の相対的な配置が、上記第３変形例とは異なる。以下では、上記第３変形例と異なる構成を詳細に説明し、上記第３変形例と重複する構成の説明を割愛する。
【００４９】
図１２が示すように、遮蔽ユニットは、左右方向に並ぶ２体の遮蔽装置１０Ｒ，１０Ｌから構成される。２体のヘッドボックス１１Ｒ，１１Ｌは、左右方向に間隔をほぼ空けないで並んでいる。右側ウェイトバー１３Ｒにおいて、右側昇降コード１４Ｒの引き出される一端部１３ＲＥは、右側ウェイトバー１３Ｒの両端部のうち、閉状態で左側遮蔽装置１０Ｌの側とは反対側（図中の開状態では上側）に位置する。左側ウェイトバー１３Ｌにおいて、左側昇降コード１４Ｌの引き出される一端部１３ＬＥは、左側ウェイトバー１３Ｌの両端部のうち、閉状態で右側遮蔽装置１０Ｒの側とは反対側（図中の開状態では上側）に位置する。
【００５０】
各ウェイトバー１３Ｒ，１３Ｌの一端部１３ＲＥ，１３ＬＥが、最上位置に到達すると、各スクリーン１２Ｒ，１２Ｌは、各々の弧を相互に向い合わせる別々の扇状を形成する。すなわち、左右の両方に開くカーテンが、右端および左端にまとめられたような一体感を遮蔽装置１０Ｒ,１０Ｌで与えることが可能となる。
上記第４変形例によれば、上記（３−１）に準じた効果を得ることが可能である。
【００５１】
［第５変形例］
遮蔽装置の第５変形例について図１３を参照して説明する。なお、第５変形例は、ボトムレールと中間レールとが連結されていること、左右方向において操作コードが位置する側に昇降コードが位置すること、これらが上記実施形態とは異なる。以下では、上記実施形態と異なる構成を詳細に説明し、上記実施形態と重複する構成の説明を割愛する。
【００５２】
図１３が示すように、遮蔽装置は、１体のヘッドボックス１１と、上部スクリーン１２Ｕと、遮蔽部材の一例である下部スクリーン１２Ｂと、中間レール２１と、レールの一例であるボトムレール２３と、１本の昇降コード１４とを備える。なお、中間レール２１の左右方向での両端部には、中間レール２１を昇降させるための図示されない他の昇降コードが接続されている。
【００５３】
上部スクリーン１２Ｕは、ヘッドボックス１１と中間レール２１とを接続している。下部スクリーン１２Ｂは、中間レール２１とボトムレール２３とを接続している。各スクリーン１２Ｕ，１２Ｂは、上記スクリーン１２と同じく、ハニカム状の筒体を上下方向に連ねるハニカムスクリーンである。なお、上部スクリーン１２Ｕは、プリーツを採用することも可能である。
【００５４】
中間レール２１の左右方向での一端部２１Ｊは、ヒンジ部２２を介して、ボトムレール２３の左右方向での一端部２３Ｊを、回動可能に支持している。ボトムレール２３の左右方向での他端部２３Ｅは、昇降コード１４の引き出される端部であって、ヒンジ部２２を中心として回動する。昇降コード１４は、ボトムレール２３の他端部２３Ｅから、中間レール２１を通じて、上方のヘッドボックス１１に向けて延びる。
【００５５】
昇降コード１４は、操作コード１５を下げる操作によって、ボトムレール２３の他端部２３Ｅを上昇させるように、ヒンジ部２２を中心として、ボトムレール２３の他端部２３Ｅを回動させる。ボトムレール２３の他端部２３Ｅが、最上位置に位置するとき、中間レール２１の長手方向と、ボトムレール２３の長手方向とは、ほぼ平行に配置され、下部スクリーン１２Ｂは開状態となる。
【００５６】
昇降コード１４は、操作コード１５を上げる操作によって、ボトムレール２３の他端部２３Ｅを下降させるように、ヒンジ部２２を中心として、ボトムレール２３の他端部２３Ｅを回動させる。ボトムレール２３の他端部２３Ｅが最下位置に位置するとき、ボトムレール２３の長手方向は鉛直方向とほぼ平行に配置され、下部スクリーン１２Ｂは閉状態となる。閉状態の下部スクリーン１２Ｂは、中間レール２１とボトムレール２３とを別々の辺とする扇状を形成する。
【００５７】
上記第５変形例によれば、以下の効果を得ることが可能である。
（５−１）下部スクリーン１２Ｂを下降させること、すなわち、下部スクリーン１２Ｂを閉状態とすることによって、下部スクリーン１２Ｂで扇状を形成することが可能となる。
【００５８】
（５−２）中間レール２１の一端部と、ボトムレール２３の一端部２３Ｊとが、ヒンジ部２２によって連結されて、下部スクリーン１２Ｂの形成する扇状の中心として、ヒンジ部２２が機能する。そのため、下部スクリーン１２Ｂの昇降に際して、下部スクリーン１２Ｂの形成する扇状の中心位置を安定させることが可能となる。
【００５９】
なお、上記実施形態、および、各変形例は、以下のように変更して実施できる。
・上記実施形態、および、各変形例は、適宜組み合わせて実施することも可能である。
・上記実施形態の遮蔽装置、および、各変形例の遮蔽装置を左右方向に並べることによって、全てのスクリーン１２で一体感を有する、新たな幾何学形状や、繰り返し模様を形成することも可能である。例えば、図１４が示すように、変形例３の遮蔽装置を左右方向に並べ、半円が左右方向に並ぶ模様を全てのスクリーン１２で形成することも可能である。
【００６０】
・操作コード１５は、例えば、無端状のボールチェーンとして構成することも可能である。この際、操作コード１５は、ヘッドボックス１１の内部でプーリーに巻き掛けられ、プーリーには、昇降コード１４の巻き取りと繰り出しとを行う巻取軸が機械的に連結されている。
・昇降コードを吊り下げる吊り下げ部は、ヘッドボックスに限らず、例えば、フレームやレールに具体化することも可能である。
・遮蔽装置は、プリーツスクリーンに限らず、横型ブラインドなどを含み、遮蔽部材を昇降する装置であればよい。
【符号の説明】
【００６１】
Ｗ…間隙、１０Ｌ，１０Ｒ…遮蔽装置、１１，１１Ｒ，１１Ｌ…ヘッドボックス、１２，１２Ｌ，１２Ｒ，１２Ｕ，１２Ｂ…スクリーン、１２Ｈ…ハニカムスクリーン、１２Ｋ…筒体、１２Ｖ…水平部分、１３…ウェイトバー、１３Ｅ，１３ＲＥ，１３ＬＥ…一端部、１４，１４Ｌ，１４Ｒ…昇降コード、１５…操作コード、２１…中間レール、２３…ボトムレール。
【図１】
2019002127.tif 000003
【図２】
2019002127.tif 000004
【図３】
2019002127.tif 000005
【図４】
2019002127.tif 000006
【図５】
2019002127.tif 000007
【図６】
2019002127.tif 000008
【図７】
2019002127.tif 000009
【図８】
2019002127.tif 000010
【図９】
2019002127.tif 000011
【図１０】
2019002127.tif 000012
【図１１】
2019002127.tif 000013
【図１２】
2019002127.tif 000014
【図１３】
2019002127.tif 000015
【図１４】
2019002127.tif 000016